(57)【要約】【課題】  階段装置に備えられる構造補強部材において、階段桁の様々な傾斜角度に対応し得る構造補強部材を提供する。【解決手段】  階段装置１における構造補強部材であるガセットプレート９に、複数の長穴１３を備える。ガセットプレート９は、長穴１３を貫通して配置されたボルト１４をナット１５で締め付けることにより、階段桁３、４に対して固定される。階段桁３、４の傾斜角度に応じて、ボルト１４による固定位置は、長穴１３内で変更される。【選択図】      図２
2007092312.tif 000002
【特許請求の範囲】
【請求項１】
階段桁同士又は階段桁と他の建物構造体との連結を補強するために、前記階段桁又は前記建物構造体に固定部材を介して取り付けられる構造補強部材において、
前記固定部材を介して前記構造補強部材を前記階段桁又は前記建物構造体に取り付けられための前記構造補強部材における取り付け位置を、前記階段桁の傾斜角度に応じて変更し得るようにした構造補強部材。
【請求項２】
前記階段桁又は前記建物構造体の側面に取り付けられ得る請求項１に記載の構造補強部材。
【請求項３】
少なくとも一つの長穴を有し、前記長穴において前記固定部材を介して前記階段桁又は前記建物構造体に取り付けられ得るとともに、前記固定部材による前記取り付け位置を前記長穴内で変更可能とした請求項１又は請求項２に記載の構造補強部材。
【請求項４】
前記固定部材は、ボルト及びナットである請求項３に記載の構造補強部材。
【請求項５】
前記長穴は、複数設けられる請求項３又は請求項４に記載の構造補強部材。
【請求項６】
前記長穴は、前記構造補強部材が前記階段桁又は建物構造体に取り付けられたとき、前記階段桁が傾斜角度を変更する場合に回動する方向に沿って延びるように形成されている請求項３から請求項５の何れか一つに記載の構造補強部材。
【請求項７】
円板状の本体を有し、前記長穴は、前記円板の円周方向に沿って形成されている請求項６に記載の構造補強部材。
【請求項８】
前記長穴を有する主部材と、前記主部材の両側に配置されて前記主部材を保持する補助部材とからなる請求項２から請求項７の何れか一つに記載の構造補強部材。
【請求項９】
前記補助部材は、前記階段桁又は前記建物構造物の側面に配置される沿って平板部と、前記平板部から垂直に延び出すフランジ部を備え、前記フランジ部において、前記階段桁又は前記建物構造物に固定され得る請求項８に記載の構造補強部材。
【発明の詳細な説明】
【技術分野】
【０００１】
本発明は、階段桁同士又は階段桁と建物構造体を連結して構成される階段装置において使用される構造補強部材（例えばガセットプレート）に関する。
【背景技術】
【０００２】
建物等に備えられる階段としては、階段桁を備え、この階段桁に複数の段板（踏板）を設置して構成されるものが知られている。このような階段において、複数の階段桁を備える場合、各階段桁は、他の階段桁や建物構造体に連結固定されることにより、所望の傾斜角度をもって設置される。この場合、階段桁同士又は階段桁と他の建物構造体との接続部分には、構造補強部材（例えばガセットプレート）が取り付けられ、接続状態が補強されるようになっている。
【発明の開示】
【発明が解決しようとする課題】
【０００３】
ところで、階段は、建物の形状、大きさ、用途、使用状況等に応じて、様々な形態のものが必要とされる。例えば、階段桁の傾斜角度は、様々に変更される。しかしながら、従来の構造補強部材（ガセットプレート）は、個々の階段に対して使用するものとして設計及び製造されるものであったので、その階段における階段桁の傾斜角度にしか対応できないものであった。このため、構造補強部材は階段製造の必要に応じて用意する必要があり、製造コストが高くなり、また階段の製造に時間のかかる原因ともなっていた。
【０００４】
本発明は、このような問題点に着目してなされたもので、階段装置に備えられる構造補強部材において、階段桁の様々な傾斜角度に対応し得る構造補強部材を提供することを目的とする。
【課題を解決するための手段】
【０００５】
本発明は、階段桁同士又は階段桁と他の建物構造体との連結を補強するために、前記階段桁又は前記建物構造体に固定部材を介して取り付けられる構造補強部材において、前記固定部材を介して前記構造補強部材を前記階段桁又は前記建物構造体に取り付けられるための前記構造補強部材における取り付け位置を、前記階段桁の傾斜角度に応じて変更し得るようにした。
【０００６】
前記階段桁又は前記建物構造体の側面に取り付けられ得るものであってもよい。
前記構造補強部材は、少なくとも一つの長穴を有し、前記長穴において前記固定部材を介して前記階段桁又は前記建物構造体に取り付けられ得るとともに、前記固定部材による取り付け位置を前記長穴内で変更可能としたものであってもよい。
【０００７】
前記固定部材は、ボルト及びナットであってもよい。
前記長穴は、複数設けられてもよい。
前記長穴は、前記構造補強部材が前記階段桁又は建物構造体に取り付けられたとき、前記階段桁の傾斜角度を変更しようとした場合に前記階段桁が回動する方向に沿って延びるように形成されていてもよい。
【０００８】
前記構造補強部材は、円板状の本体を有し、前記長穴は、前記円板の円周方向に沿って形成されていてもよい。
前記構造補強部材は、前記長穴を有する主部材と、前記主部材の両側に配置されて前記主部材を保持する補助部材とからなってもよい。
【０００９】
前記補助部材は、前記階段桁又は前記建物構造物の側面に沿って配置される平板部と、前記平板部から垂直に延び出すフランジ部を備え、前記フランジ部において、前記階段桁又は前記建物構造物に固定され得るようにしてもよい。
【発明の効果】
【００１０】
本発明によれば、構造補強部材（例えばガセットプレート９）は、固定部材（例えばボルト１４及びナット１５）を介して取り付けられるための構造補強部材における取り付け位置を、階段桁（例えば階段桁３、４、踊り場構造体５）の傾斜角度に応じて変更し得るので、同一の構造補強部材で様々な傾斜角度の階段桁の連結を補強しうる。例えば、構造補強部材に長穴（例えば長穴１３）を形成し、この長穴内で取り付け位置を変更し得るようにすれば、長穴の幅に対応した階段桁の傾斜角度の変更に対応できる。したがって、構造補強部材は、タイプの異なる様々な階段に適用可能なものとして大量生産できるので、コスト削減及び工期短縮が達成できる。また、取り付け位置を長穴内で微調整できるので、階段装置の製造現場において、階段桁の傾斜角度や寸法の誤差等に対して、容易に対応でき、高い作業効率が得られる。また、構造補強部材は、取り付け位置の変更のための構成として長穴１３を備えるだけであるので、構成がシンプルであり、低コストで製造できる。さらに、製造現場における構造補強部材の取り付けは、長穴内の適切な位置でボルト締めをするだけなので、取り付け作業は容易である。
【００１１】
また、構造補強部材を、長穴（例えば長穴２３）を有する主部材（例えば円板形部材２１）と、主部材の両側に配置されて主部材を保持する補助部材（例えばコの字型部材２２）とから構成し、補助部材に、階段桁又は建物構造物（例えば建物上階部構造体７）の側面に沿って配置される平板部（例えば平板部２７）と、平板部から垂直に延び出すフランジ部（例えばフランジ部２８）を備え、補助部材がフランジ部において階段桁又は建物構造物に固定され得るようにすれば、直交する２方向について固定がなされることになるので、構造補強部材による連結補強強度は非常に高いものとなる。
【発明を実施するための最良の形態】
【００１２】
以下、添付図面を参照しながら本発明の各実施形態について説明する。
図１には、本発明の一実施形態における階段装置１の全体構成を示す。図示されるように、階段装置１は、多数の段板装置２が設置された階段桁３及び４と、これらの階段桁３、４の間に配置されて踊り場を構成する踊り場構造体５とを備えている。階段桁３は、その下端部３Ａが地面６に、上端部３Ｂが踊り場構造体５に、それぞれ固定され、所定の傾斜角度Ｒ１で傾斜した状態に設置されている。また、階段桁４は、その下端部４Ａが踊り場構造体５に、上端部４Ｂが建物上階部構造体７に、それぞれ固定され、所定の角度Ｒ２で傾斜した状態に設置されている。また、踊り場構造体５は、支柱８により、所定の高さに略水平に支持されている。なお、階段桁３と踊り場構造体５の連結、階段桁４と踊り場構造体５及び建物上階部構造体７との連結は、構造補強部材であるガセットプレート９により補強されている。
【００１３】
図２には、ガセットプレート９による階段桁３と踊り場構造体５間の連結補強の様子を詳細に示す。なお、ガセットプレート９による踊り場構造体５と階段桁４、階段桁４と建物上階部構造体７の連結補強は全く同様のものであるので、以下、代表して階段桁３と踊り場構造体５間の連結補強についてのみ説明する。
【００１４】
図示されるように、ガセットプレート９は、例えばステンレスやアルミニウム等の金属から形成される円盤形のプレート本体１１に、このプレート本体１１を貫通する複数のボルト穴１２と長穴１３を形成して構成される。なお、本実施形態では、ボルト穴１２、長穴１３ともに３個ずつ設けられているが、ボルト穴１２や長穴１３の数、配置等は、必要に応じて任意に変更可能である。
【００１５】
ボルト穴１２は、連結される構造体の一方（図２では踊り場構造体５）にガセットプレート９を取り付けるための穴であり、ガセットプレート９の片側に、配列されている。一方、踊り場構造体５には、これらのボルト穴１２に対応する位置にボルト穴（図示せず）が形成されている。このような構成により、ガセットプレート９のボルト穴１２から踊り場構造体５のボルト穴にかけて貫通させたボルト（図示せず）を、ナット（図示せず）により締め付けることにより、ガセットプレート９の踊り場構造体５への取り付けがなされる。
【００１６】
長穴１３は、連結される構造体の他方（図２では階段桁３）にガセットプレート９を取り付けるための穴であり、ガセットプレート９のボルト穴１２と反対側に、プレート本体１１の円周方向に沿って形成されている。また、階段桁３には、長穴１３と重なる位置にボルト穴（図示せず）が形成されている。このような構成により、長穴１３から階段桁３のボルト穴に貫通させたボルト１４をナット１５で締め付けることにより、ガセットプレート９の階段桁３への取り付けがなされる。この場合、ガセットプレート９の階段桁３への取り付け位置は、踊り場構造体５に対する階段桁３の傾斜角度Ｒに応じて、長穴１３内で適当に変更される。したがって、同一のガセットプレート９を、様々な傾斜角度Ｒの階段桁３の連結補強に用いることができる。
【００１７】
図３、図４には、それぞれ階段桁３の傾斜角度を最小、最大にした場合を示す。図３に示すように、ボルト１４による取り付け位置を長穴１３の上端部付近とすると、階段桁３の傾斜角度は最小値Ｒｍｉｎとできる。一方、図４に示すように、ボルト１４による取り付け位置を長穴１３の下端部付近とすると、階段桁３の傾斜角度は最大値Ｒｍａｘとできる。このように、本実施形態のガセットプレート９は、長穴１３の幅の範囲で、傾斜角度ＲｍｉｎからＲｍａｘに至る連結角度での連結補強に対応し得る。
【００１８】
以上のように、本実施形態のガセットプレート９によれば、ガセットプレート９の階段桁３、４への取り付け位置を長穴１３の長手方向に沿って変更できるので、様々な傾斜角度の階段桁に対する連結補強に、同一のガセットプレート９を用いることができる。つまり、階段桁の傾斜角度、階段の踏面幅及び蹴上げ（階段１段分の高さ）の寸法の変更に対して、同一のガセットプレート９で対応できる。したがって、同一形態のガセットプレート９を、既製品として大量生産することが可能となり、製造コストを削減できる。また、ガセットプレート９は、既存の建物に対しても、そのまま使用することができる。
【００１９】
また、ガセットプレート９の取り付け位置は、長穴１３内で微調整できるので、階段装置１の製造現場において、階段桁３、４の傾斜角度や寸法の誤差等に対して、容易に対応でき、高い作業効率が得られる。
【００２０】
また、ガセットプレート９は、取り付け位置の変更のための構成として長穴１３を備えるだけのものであるので、構成がシンプルであり、低コストで製造できる。さらに、製造現場におけるガセットプレート９の取り付けは、長穴１３内の適切な位置でボルト締めをするだけなので、取り付け作業は容易である。
【００２１】
図５には、本発明の第２の実施形態における構造補強部材を示す。図示されるように、本実施形態の構造補強部材２０は、一対の円板形部材２１と、一対のコの字型部材２２とを備えている。
【００２２】
円板形部材２１は、円周方向に沿って環状に配列された複数の長穴２３を備えている。各長穴２３は、上記図２の実施形態における長穴１３と同様に、円板形部材２１をボルト２４、ナット２５及びワッシャー２６を介して階段桁等の建物構造体に取り付けるための取り付け位置となるものであり、円板形部材２１の円周方向に沿って延びている。この長穴２３内で取り付け位置を変更することにより、階段桁の様々な傾斜角度に対応することができる。
【００２３】
一方、コの字型部材２２は、平坦な平板部２７と、この平板部の上下両側から垂直に延び出す一対のフランジ部２８とを備えている。平板部２７、フランジ部２８には、それぞれボルト穴２９、３０が形成されており、これらのボルト穴２９において、ボルト締めによる固定がなされ得るようになっている。また、フランジ部２８の端部には、円板形部材２１の側部に当接して円板形部材２１を保持するための保持部３１が形成されている。
【００２４】
図６には、第２の実施形態の構造補強部材２０が、階段桁４及び踊り場構造体５に取り付けられた状態を示す。図示されるように、一対の円板形部材２１は、階段桁４及び踊り場構造体５の側面に２枚重ねて配置され、長穴２３を貫通するボルト３２により、階段桁４及び踊り場構造体５に固定される。この場合、長穴２３内の取り付け位置は、階段桁４の傾斜角度に応じて変更される。
【００２５】
一方、一対のコの字型部材２２は、それぞれ円板形部材２１の両側に配置され、階段桁４、踊り場構造体５の側面に取り付けられる。なお、コの字型部材２２の保持部３１は、円板形部材２１の側部に当接して円板形部材２１を保持する。コの字型部材２２は、平板部２７のボルト穴２９において、ボルト３３及びナット３４を介して階段桁４又は踊り場構造体５に対して固定されるとともに、フランジ部２８のボルト穴３０において、ボルト３５及びナット３６を介して階段桁４又は踊り場構造体５に対して固定される。このように、本実施形態の構造補強部材によれば、コの字型部材２２は直交する２方向についてボルト締めがなされるので、構造補強部材による連結補強強度は、非常に高いものとなる。
【００２６】
図７には、本発明の第３の実施形態における構造補強部材を示す。図示されるように、本実施形態のガセットプレート４１は、円周方向に沿って延びる連結用の複数の長穴４２を備えるとともに、側方に延び出した耳部４３を備えている。耳部４３には、階段桁等の建物構造体へのボルト止めのためのボルト穴４３が形成されている。これにより、ガセットプレート４１は、長穴４３におけるボルト締めに加えて、ボルト穴４３においてもボルト締めにより建物構造体に固定されるので、高い連結補強強度を得ることができる。
【図面の簡単な説明】
【００２７】
【図１】本発明の実施形態における階段装置を示す側面図である。
【図２】同じくガセットプレートが取り付けられた状態を示す側面図である。
【図３】同じくガセットプレートが取り付けられた状態を示す側面図である。
【図４】同じくガセットプレートが取り付けられた状態を示す側面図である。
【図５】本発明の第２の実施形態における構造補強部材を示す斜視図である。
【図６】同じく構造補強部材が取り付けられた状態を示す側面図である。
【図７】本発明の第３の実施形態におけるガセットプレートを示す平面図である。
【符号の説明】
【００２８】
１  階段装置
２  段板装置
３  階段桁
４  階段桁
５  踊り場構造体
６  地面
７  建物上階部構造体
８  支柱
９  ガセットプレート
１１  プレート本体
１２  ボルト穴
１３  長穴
１４  ボルト
１５  ナット
２０  構造補強部材
２１  円板形部材
２２  コの字型部材
２７  平板部
２８  フランジ部
【図１】
2007092312.tif 000003
【図２】
2007092312.tif 000004
【図３】
2007092312.tif 000005
【図４】
2007092312.tif 000006
【図５】
2007092312.tif 000007
【図６】
2007092312.tif 000008
【図７】
2007092312.tif 000009